(57)【要約】【課題】加飾効果に優れ、しかも、小ロットの生産にも対応し得るチューブ容器を提供する。【解決手段】チューブ容器10は、注出口10ａを有するヘッド11と、このヘッド11に繋がり内容物を収容する胴部12とを備え、この胴部12のベース層12ａの外周面に、このベース層12ａ上に配置され該ベース層12ａを装飾する加飾体１と、この加飾体１と共にベース層12ａを覆う透明又は半透明の保護層12ｂとを設け、この保護層12ｂとベース層12ａとの相互間に、この加飾体１の外形を縁取る中空層２を形成する。【選択図】図１
2005280754.tif 000002
【特許請求の範囲】
【請求項１】
注出口を有するヘッドと、このヘッドに繋がり内容物を収容する胴部とを備えるチューブ容器であって、
前記胴部の外周面に、この外周面上に配置され該外周面を装飾する加飾体と、この加飾体と共に前記外周面を覆う透明又は半透明の保護層とを設け、この保護層と前記外周面との相互間に、この加飾体の外形を縁取る中空層を形成したことを特徴とするチューブ容器。
【請求項２】
前記加飾体は、その外縁に加飾を施してなる請求項１に記載のチューブ容器。
【請求項３】
前記加飾体は、その外縁を隆起させてなる請求項１又は２に記載のチューブ容器。
【発明の詳細な説明】
【技術分野】
【０００１】
本発明は、注出口を有するヘッドと、このヘッドに繋がり内容物を収容する胴部とを備えるチューブ容器に関するものである。
【背景技術】
【０００２】
チューブ容器の胴部にオフセット印刷・シルクスクリーン印刷または転写によって加飾を施すと共に、その表面に透明なオーバコート層を設けることにより、加飾部分を保護する技術は既知である。しかしながら、こうした印刷方法では、紙製品などの加飾に用いられるグラビア印刷と比較して加飾効果が劣るため、本願出願人は既に、チューブ容器の胴部にグラビア印刷等を施したラベルを貼着する技術を提案済みである（特許文献１参照。）。
【特許文献１】特開平８−１３３３０９号公報
【発明の開示】
【発明が解決しようとする課題】
【０００３】
ところが、上記従来のチューブ容器にあっては、加飾部分それ自体を強調して加飾効果を向上させるという点に更なる改良の余地があった。加えて、印刷等による加飾では、作業変更が煩雑となるため、大ロットの生産では問題無いものの、小ロットの生産には対応しきれないなどの問題を有していた。
【０００４】
本発明の解決すべき課題は、上述した事実認識に鑑みてなされたものであり、加飾効果に優れ、しかも、小ロットの生産にも対応し得るチューブ容器を提供することにある。
【課題を解決するための手段】
【０００５】
本発明は、注出口を有するヘッドと、このヘッドに繋がり内容物を収容する胴部とを備えるチューブ容器であって、前記胴部の外周面に、この外周面上に配置され該外周面を装飾する加飾体と、この加飾体と共に前記外周面を覆う透明又は半透明の保護層とを設け、この保護層と前記外周面との相互間に、この加飾体の外形を縁取る中空層を形成したことを特徴とするものである。
【０００６】
本発明において、前記加飾体は、その外縁に加飾を施してなることが好ましい。また、前記加飾体は、その外縁を隆起させてなることが好ましい。
【発明の効果】
【０００７】
本発明によれば、加飾体の厚みによって胴部の外周面に生じた陰影と、加飾体の外形を縁取る中空層とによって加飾体が強調されるため、単なる印刷に比べて優れた加飾効果が得られる。加えて、本発明によれば、加飾体の形状、大きさ、色彩、模様などの変更や胴部上でのレイアウト変更のみで装飾の異なる様々なチューブ容器の生産が可能になるため、小ロットの生産への対応が容易になる。また、本発明によれば、加飾体の厚みが他の部分に比べて異なる触感を与えるため、この触感によっても他種との差別化を図ることができる。更に、本発明によれば、加飾体が保護層で覆われるため、加飾体の劣化や脱落を防止できる。
【０００８】
また、本発明において、前記加飾体の外縁に加飾を施した場合、この加飾によって加飾体の外縁が強調されるため、更に優れた加飾効果が得られる。また、本発明において、前記加飾体の外縁を隆起させた場合も、その隆起部周りに生じた陰影によって加飾体の外縁が強調されるため、更に優れた加飾効果が得られる。そして、前記加飾体の外縁を加飾すると共に隆起させれば、最も優れた加飾効果が得られる。
【発明を実施するための最良の形態】
【０００９】
以下、本発明の一形態を、添付図面に基づき詳細に説明する。
【００１０】
図１は、本発明に係るチューブ容器10を示す平面図であり、図２(ａ),(ｂ)はそれぞれ図１のＡ−Ａ断面付近を展開した斜視断面図及び図１のＢ−Ｂ断面図である。
【００１１】
チューブ容器10は、図１に示す如く、注出口10ａを有するヘッド11と、このヘッド11に繋がり内容物を収容する胴部12とを備え、この胴部12の一端をヒートシールや超音波などの方法で封緘すると共に、他端にヘッド11を取り付けて形成されており、注出口10ａにはキャップ13が取り付けられている。
【００１２】
胴部12は、例えば、ポリエチレン、ポリプロピレン、ポリエステル、エチレンビニルアルコール共重合体、環状ポリオレフィン等の熱可塑性樹脂の単層やそれらの積層体、または、アルミニウム等の金属箔の両面にポリエチレン等の樹脂を積層させたシート材を筒状に形成したベース層12ａを備える。
【００１３】
ベース層12ａの外周面には、図２(ａ)に示す如く、その外周面上に３つの加飾体１が接着層１ａを介して固定されている。加飾体１は、その外表面１ｆを単一な色彩で装飾したものであり、各加飾体１はそれぞれ、色彩、大きさが異なっている。また、ベース層12ａの外周全面には、この外周面を加飾体１と共に覆う透明又は半透明な保護層12ｂが設けられている。この保護層12ｂは、図２(ｂ)に示す如く、ベース層12ａの外周面との相互間に、加飾体１の外形を縁取る中空層２を形成する。
【００１４】
これにより、保護層12ｂが加飾体１に密着する加飾体領域Ｄ1では、保護層12ｂがベース層に密着するベース層領域Ｄ2に比べて厚みを有するため、加飾体１の外形に沿って陰影を生じる一方、加飾体領域Ｄ1及びベース層領域Ｄ2ではそれぞれ、加飾体１及びベース層12ａの加飾部分が保護層12ｂを透して目視できる。そして更に、保護層12ｂがベース層12ａ及び加飾体１に密着しない中空層領域Ｄ3では、中空層２を介したベース層12ａ表面上の加飾部分が保護層12ｂを透して目視できるため、中空層領域Ｄ3は曇った色彩を呈して３つの部分Ｄ1〜Ｄ3それぞれで異なる色彩感覚を与えることができる。
【００１５】
従って、本発明によれば、図１の破線に示す如く、加飾体１の厚みによって胴部12の外周面に生じた陰影と、加飾体１の外形を縁取る中空層２とによって加飾体１が強調されるため、単なる印刷に比べて加飾効果が向上する。加えて、本発明によれば、加飾体１の形状、大きさ、色彩、模様などの変更や胴部12上でのレイアウト変更のみで装飾の異なる様々なチューブ容器の生産が可能になるため、小ロットの生産への対応が容易になる。また、本発明によれば、加飾体１の厚みが他の部分に比べて異なる触感を与えるため、この触感によっても他種との差別化を図ることができる。更に、かかる構成によれば、加飾体１が保護層12ｂで覆われるため、加飾体１の劣化や脱落を防止できる。
【００１６】
なお、本形態において、加飾体１がラベルである場合は、例えば、ポリエチレン、ポリプロピレン、ポリスチレン、ポリエステル等の熱可塑性樹脂に着色したもの、または、これらの熱可塑性樹脂若しくは紙の表面に印刷を施したものを用いることができる。ここで施される印刷は、グラビア印刷やオフセット印刷のほか、公知の印刷技術を用いて施される。特に、加飾体１を、色彩の濃淡等の再現性が良いグラビア印刷を施したラベルとすれば、その鑑賞性および展示効果（加飾効果）に優れる。
【００１７】
また、保護層12ｂは、前述の如く透明又は半透明な樹脂であればよく、例えば、ポリエチレン等のポリオレフィン、或いは、変性ポリオレフィン等の熱可塑性樹脂の単層又は積層構成からなり、保護層12ｂを加熱収縮させるなど、保護層12ｂをベース層12ａに密着させる各種方法によってベース層12ａの外周面に保持固定される。この場合、ベース層12ａと保護層12ｂとの間には、接着層を設けることができ、また、加飾体１も、接着層を介してベース層12ａに保持固定しても、ベース層12ａに接着させることなく配置するのみでもよい。
【００１８】
図３(ａ)〜(ｃ)はそれぞれ、本発明の他の形態を示す要部斜視断面図、同形態における加飾体を示す斜視図及び、加飾体の更に他の形態を示す斜視図である。なお、以下の説明において、図１,２と同一部分は同一符号をもってその説明を省略する。
【００１９】
本形態において、加飾体１は、図３(ｂ)に示す如く、その外縁１ｅが全周に亘って隆起する凸枠３を備え、この凸枠３に、加飾体１の外表面１ｆと異なる単一な色彩を用いて加飾が施されている。こうした凸枠３は、例えば、既存のラベルをレーザーカットすることにより形成することができる。また、凸枠３は、加熱によって膨張する所謂発泡インクを用いて成形することもできるが、この場合の加熱手段としては、レーザー等が挙げられる。
【００２０】
これにより、保護層12ｂが凸枠３に密着する凸枠領域Ｄ4では、図３(ａ)に示す如く、保護層12ｂが加飾体１の外表面１ｆに密着する領域Ｄ1に比べて厚みを有するため、凸枠３周りに異なる陰影を生じさせると共に、凸枠領域Ｄ4では、凸枠３表面上の加飾部分が保護層12ｂを透して目視できる。かかる構成によれば、外縁１ｅを装飾する加飾部分によって加飾体１の外縁が強調されると共に、加飾体１の外周面１ｆ上に生じた凸枠３周りの陰影によって加飾体１の外縁が強調されるため、最も優れた加飾効果が得られる。なお、本発明によれば、加飾体１の外縁１ｅに凸枠３を設けるだけでも、優れた加飾効果が得られ、また、図３(ｃ)に示す如く、外縁１ｅに外表面１ｅと異なる加飾を施すだけも、優れた加飾効果が得られる。
【００２１】
上述したところは本発明の形態を例示したに過ぎず、様々な変更が可能である。例えば、加飾体１は、その形状、大きさを様々に変更することができる。また加飾体１及び凸枠３への加飾も、単一色に限らず、複数の色彩を組み合わせる等の様々に変更することができる。また、具体的な加飾方法に関しても、印刷に限らず、塗装、材料自体への着色等の既存の方法を採用できる。更に、保護層12ｂは、加熱収縮によってベース層12ａに保持固定されるものに限らず、例えば、ベース層12ａとの間に接着層を設けて加飾体１と共にベース層12ａに固定してもよい。
【図面の簡単な説明】
【００２２】
【図１】本発明の一形態であるチューブ容器を示す平面図である。
【図２】(ａ),(ｂ)はそれぞれ図１のＡ−Ａ断面付近を展開した斜視断面図及びＢ−Ｂ断面図である。
【図３】(ａ)〜(ｃ)はそれぞれ、本発明の他の形態を示す要部斜視断面図、同形態における加飾体を示す斜視図及び、加飾体の更に他の形態を示す斜視図である。
【符号の説明】
【００２３】
１  加飾体
２  中空層
３  凸枠
10  チューブ容器
11  ヘッド
12  胴部
13  保護層
【図１】
2005280754.tif 000003
【図２】
2005280754.tif 000004
【図３】
2005280754.tif 000005